(57)【要約】【課題】簡易な構造で、フィルターの取付け・取外し・清掃・交換が容易な半田吸取器の提供。【解決手段】半田吸取器は、棒状の樹脂製グリップ１を備える。このグリップ１は、操作時に把持部とされる部分である。加熱部１０は、グリップ１の先端部からグリップ１と一直線上に延びるように、取付部材５のボス部５ｂに固定される。加熱部１０の先端部には、グリップ１や加熱部１０の軸線と交差して、吸取パイプ１５が設けられる。吸取パイプ１５の基端部には、樹脂製フィルターパイプ２０が着脱可能に差し込まれて保持される。フィルターパイプ２０には、第１フィルター３１と第２フィルター３２の二つの半田除去フィルター３０が内蔵される。フィルターパイプ２０の基端側開口部には、真空ポンプ４１とチューブ４０を介して接続された後ホルダー３５が着脱可能に設けられる。【選択図】　　　図１
2004074225.tif 000002
【特許請求の範囲】
【請求項１】
操作時に把持部とされるグリップと、
グリップの先端部に設けられ、ヒーターが内蔵された加熱部と、
先端をグリップから離間する方向に向けて、グリップの軸線と交差するよう前記加熱部に設けられる吸取パイプと、
吸取パイプの先端部に設けられる吸取ノズルと、
吸取パイプの基端部に着脱可能に差し込まれて保持される略筒状のフィルターパイプと、
このフィルターパイプ内に設けられる半田除去フィルターと、
グリップの先端部において取付軸まわりに回転可能に保持され、吸取パイプ基端部に保持されたフィルターパイプの基端側開口部を閉じる後ホルダーと、
先端部が後ホルダー、フィルターパイプ、吸取パイプ及び吸取ノズルと連通される一方、基端部が真空発生器に接続される吸引チューブと、
グリップに設けられ、真空発生器による吸取ノズル先端からの吸引の有無を切り替える操作スイッチと
を備えることを特徴とする半田吸取器。
【請求項２】
前記吸取ノズルは、吸取パイプの先端部に着脱可能に設けられ、
前記フィルターパイプは、略円筒状のパイプ本体の先端開口部に、キャップが着脱可能に装着されてなり、
キャップの中央部には、吸取パイプの基端部が着脱可能に差し込まれる貫通穴が形成されており、
フィルターパイプには、第１フィルターと第２フィルターが内蔵され、
第１フィルターは、線材が密接してコイルバネ状に巻かれた筒状体とされ、その基端部はテーパ状に狭められる一方、先端部はキャップの基端部に着脱可能に嵌合される開口部とされ、
第２フィルターは、フィルターパイプ基端部に着脱可能に設けられるフェルト状部材からなり、
前記後ホルダーは、付勢手段によりフィルターパイプの基端側開口部を閉じるよう付勢されており、その付勢力に対抗して取付軸まわりに回転させるために、グリップを把持した手の指を引っ掛け可能な操作片が形成されている
ことを特徴とする請求項１に記載の半田吸取器。
【請求項３】
前記加熱部と後ホルダーが取り付けられた可動部が、グリップに対し周方向位置を調整可能に設けられている
ことを特徴とする請求項２に記載の半田吸取器。
【請求項４】
前記グリップ及び加熱部は、左右方向に延出して配置されており、
前記フィルターパイプ、吸取パイプ及び吸取ノズルは、左上から右下に向けて、加熱部に対し約５０度の角度で一直線上に配置されており、
前記可動部には、上方に向けてアームが延出されており、そのアームの上端部に、前後方向に沿う取付軸を介して後ホルダーが回転可能に保持されている
ことを特徴とする請求項３に記載の半田吸取器。
【請求項５】
前記吸取パイプは、吸取ノズル側への伝熱よりもフィルターパイプ側への伝熱を抑制するために、加熱部とフィルターパイプとの間の露出部の一部は、その外径が小径に形成されている
ことを特徴とする請求項４に記載の半田吸取器。
【発明の詳細な説明】
【０００１】
【発明の属する技術分野】
本発明は、半田を溶融して吸取除去するための電気半田吸取器に関するものである。
【０００２】
【従来の技術】
従来、半田吸取器は、ピストル形状のいわゆるガンタイプが主流であった。しかし、近年、半田付け部品が小型化するに伴い、半田吸取器の形状も変化してきている。すなわち、拡大鏡を通して作業を要するようになってきており、吸取ノズルや吸取パイプが、ガン先端部やそこから延出する加熱部と一直線上にある従来のガンタイプでは、作業が困難である。そこで、加熱部の延出方向と交差して吸取ノズルや吸取パイプを設けたタイプのものが使用されてきている。
【０００３】
【発明が解決しようとする課題】
しかしながら、この種の半田吸取器は、半田除去用のフィルターの取付構造が複雑で、清掃や交換も煩雑であった。たとえば、半田除去フィルターを内蔵する容器が、吸取パイプ或いはグリップ側と一体化されていたり、ネジ止めされていたりしていた。また、吸い取った半田のフィルターからの除去や、フィルターの交換に手間を要するものであった。
【０００４】
本発明は、上記事情に鑑みてなされたものであり、その主たる目的は、簡易な構造で、フィルターの取付け・取外し・清掃・交換が容易な半田吸取器を提供することにある。
【０００５】
【課題を解決するための手段】
上記目的を達成するため、本発明の半田吸取器は、操作時に把持部とされるグリップと、グリップの先端部に設けられ、ヒーターが内蔵された加熱部と、先端をグリップから離間する方向に向けて、グリップの軸線と交差するよう前記加熱部に設けられる吸取パイプと、吸取パイプの先端部に設けられる吸取ノズルと、吸取パイプの基端部に着脱可能に差し込まれて保持される略筒状のフィルターパイプと、このフィルターパイプ内に設けられる半田除去フィルターと、グリップの先端部において取付軸まわりに回転可能に保持され、吸取パイプ基端部に保持されたフィルターパイプの基端側開口部を閉じる後ホルダーと、先端部が後ホルダー、フィルターパイプ、吸取パイプ及び吸取ノズルと連通される一方、基端部が真空発生器に接続される吸引チューブと、グリップに設けられ、真空発生器による吸取ノズル先端からの吸引の有無を切り替える操作スイッチとを備えることを特徴とする。
【０００６】
また、好ましくは上記構成に加えて、前記吸取ノズルは、吸取パイプの先端部に着脱可能に設けられ、前記フィルターパイプは、略円筒状のパイプ本体の先端開口部に、キャップが着脱可能に装着されてなり、キャップの中央部には、吸取パイプの基端部が着脱可能に差し込まれる貫通穴が形成されており、フィルターパイプには、第１フィルターと第２フィルターが内蔵され、第１フィルターは、線材が密接してコイルバネ状に巻かれた筒状体とされ、その基端部はテーパ状に狭められる一方、先端部はキャップの基端部に着脱可能に嵌合される開口部とされ、第２フィルターは、フィルターパイプ基端部に着脱可能に設けられるフェルト状部材からなり、前記後ホルダーは、付勢手段によりフィルターパイプの基端側開口部を閉じるよう付勢されており、その付勢力に対抗して取付軸まわりに回転させるために、グリップを把持した手の指を引っ掛け可能な操作片が形成されていることを特徴とする半田吸取器である。
【０００７】
また、好ましくは上記構成に加えて、前記加熱部と後ホルダーが取り付けられた可動部が、グリップに対し周方向位置を調整可能に設けられていることを特徴とする半田吸取器である。
【０００８】
また、好ましくは上記構成に加えて、前記グリップ及び加熱部は、左右方向に延出して配置されており、前記フィルターパイプ、吸取パイプ及び吸取ノズルは、左上から右下に向けて、加熱部に対し約５０度の角度で一直線上に配置されており、前記可動部には、上方に向けてアームが延出されており、そのアームの上端部に、前後方向に沿う取付軸を介して後ホルダーが回転可能に保持されていることを特徴とする半田吸取器である。
【０００９】
また、好ましくは上記構成に加えて、前記吸取パイプは、吸取ノズル側への伝熱よりもフィルターパイプ側への伝熱を抑制するために、加熱部とフィルターパイプとの間の露出部の一部は、その外径が小径に形成されていることを特徴とする半田吸取器である。
【００１０】
【発明の実施の形態】
以下、本発明の半田吸取器の一実施例について、図面に基づき更に詳細に説明する。
図１は、本実施例の半田吸取器の使用状態を示す図であり、一部を断面にして示している。また、図２は、半田吸取器からフィルターパイプを取り外す状態を示す断面図である。さらに、図３は、図１の半田吸取器を右側から見た図であり、図４は、図１の半田吸取器の概略斜視図である。
【００１１】
図１に示すように、本実施例の半田吸取器は、棒状の樹脂製グリップ１を備える。このグリップ１は、操作時に把持部とされる部分である。グリップ１の先端部には、円板状の可動部２がグリップ１に対し周方向に所定範囲を回動自在に保持されている。すなわち、図４に示すように、円板状の可動部２には、周方向に沿って等間隔に三つのスリット２ａが形成されており、各スリット２ａを介してグリップ１にネジ３を止めている。これにより、円板状の可動部２は、ネジ３の頭部とグリップ１の先端との間に保持されつつも、ネジ３をスリット２ａに沿って移動することで、スリット２ａの長さだけ周方向に移動可能とされている。
【００１２】
可動部２の円板状部の外周部には、グリップ１先端方向に向けて突部４が一体形成されている。本実施例では、前記三つのスリット間に、それぞれ突部４が形成されている。そして、各突部４の先端部に、取付部材５のフランジ５ａがネジ止め（６）されて固定されている。この取付部材５の中央部には、ボス部５ｂが形成されており、そのボス部５ｂに、加熱部１０が固定される。なお、図３に示すように、取付部材５のフランジ５ａには、可動部２に形成されたスリット２ａに対応した位置に、スリット５ｃが周方向に沿って形成されている。スリット５ｃを介して、ネジ３を留めることが可能であり、また、可動部２の回転角度をスリット５ｃから見えるネジ３の位置により把握することが可能となる。
【００１３】
加熱部１０は、グリップ１の先端部からグリップ１と一直線上に延びるように、取付部材５のボス部５ｂに固定される。加熱部１０は、金属パイプ状とされ、ヒーター１１が内蔵されており、そのヒーター１１へ電源を供給するコード１２は可動部２を介して、グリップ１の基端部から延出される。
【００１４】
加熱部１０の先端部には、グリップ１や加熱部１０の軸線と交差して、吸取パイプ１５が設けられる。吸取パイプ１５は、加熱部１０の軸線に対して例えば約４０〜６０度（図示例では５０度）の角度で傾斜して設けられる。これにより、図１に示すように、吸取パイプ１５を垂直方向に配置した状態では、その斜め上方に向けて加熱部１０やグリップ１が配置される。
【００１５】
吸取パイプ１５の先端部には、吸取ノズル１６が着脱可能に設けられる。本実施例の吸取ノズル１６は、先端部が略円錐状に先細に形成されており、基端側は略円筒形状とされている。なお、先端側の略円錐状部から更に先端側に延出して、小径パイプ部を形成してもよい。
【００１６】
吸取ノズル１６は、基端部を吸取パイプ１５にねじ込まれて固定される。吸取パイプ１５への固定状態では、吸取ノズル１６の基端面が、加熱部１０先端部に形成された傾斜面１０ａに当接される。吸取ノズル１６には、長手方向に向けて段付きの貫通穴１７が形成されている。基端側の大径穴１７ｂには、上述したように吸取パイプ１５が螺合される。先端側の小径部１７ａは、吸取ノズル１６先端から吸引した半田を、基端側に連結された吸取パイプ１５へ送る通路とされる。この通路の内径と、先端側の外径や形状を適宜に変えた複数個の吸取ノズルを用意して、適宜の吸取ノズルを吸取パイプ１５に装着して使用することができる。
【００１７】
吸取パイプ１５の基端部には、樹脂製フィルターパイプ２０が着脱可能に差し込まれて保持される。本実施例のフィルターパイプ２０は、略円筒形状のパイプ本体を備え、その先端側の開口部にキャップ２１が着脱可能に装着され、そのキャップ２１を介して吸取パイプ１５の基端部に保持される。
【００１８】
キャップ２１は、段付きの略円板状とされる。すなわち、フィルターパイプ２０の外径よりやや大きい大径部２１ａを備え、その大径部２１ａの基端部はやや小径とされて、フィルターパイプ本体２０の先端側開口部への装着部２１ｂとされる。さらに、その装着部２１ｂの基端部はやや小径とされて、後述する第１フィルター３１の取付部２１ｃとされる。一方、大径部２１ａ側の先端面にも、先端側に突出して小径部２１ｄが形成されている。
【００１９】
そして、このような形状のキャップ２１の中央部には、貫通穴が形成されている。この貫通穴は、段付き穴とされており、先端側の小径部２１ｅには、吸取パイプ１５の基端部が嵌合される。吸取パイプ１５の基端部には、ツバ部１５ａが形成されており、そのツバ部１５ａにキャップ２１の先端面が当接されることで、キャップ２１は吸取パイプ１５に対し位置決めされる。その状態では、前記貫通穴の段付き部にまで吸取パイプ１５が挿入され、吸取パイプ１５の基端部は前記貫通穴の大径部２１ｆに開口することになる。
【００２０】
フィルターパイプ２０には、第１フィルター３１と第２フィルター３２の二つの半田除去フィルター３０が内蔵される。第１フィルター３１は、線材が密接してコイルバネ状に巻かれた筒状体とされ、基端部は完全に閉塞若しくは僅かに開口するだけでほぼ閉じられる一方、先端部は開口されている。本実施例では、線材が密接して円筒状に巻かれてなり、その基端部のみが、基端側に行くに従って先細となるテーパ状に形成され、その中央部には小さな開口部３１ａが残されている。このような第１フィルター３１は、先端側開口部が前記キャップ２１の取付部２１ｃに着脱可能に嵌合されて装着される。
【００２１】
一方、第２フィルター３２は、フィルターパイプ２０の基端側開口部に着脱可能に設けられる。本実施例の第２フィルター３２は、フェルト状部材からなり、短円柱状に形成されている。フィルターパイプ２０の基端側開口部からやや先端側に入った位置には、径方向内側に突出して複数個の突部２０ａが形成されており、基端側開口部から嵌め込まれた第２フィルター３２は、この突部２０ａに保持されることになる。なお、フィルターパイプ２０の内周面と第２フィルター３２の外周面との間に隙間ができないように、第２フィルター３２は装着される。
【００２２】
二つのフィルター３１，３２が内蔵されたフィルターパイプ２０の基端側開口部は、後ホルダー３５にて閉塞される。後ホルダー３５は、先端部３５ａがフィルターパイプ２０基端部へ嵌合される円筒状に形成され、その上部の外周部には、径方向外側に延出してチューブ取付管３６が一体形成されている。フィルターパイプ２０基端部への嵌合部には、Ｏリング３７が装着されているので、フィルターパイプ２０に気密状態で装着することができる。なお、後ホルダー３５は、フィルターパイプ２０への装着部（３５ａ）において下方に開口しており、その開口部がチューブ取付管３６と連通されている。
【００２３】
チューブ取付管３６の中途には、上方に略円弧状に延出して、操作片３８が一体形成されている。後述するように、後ホルダー３５は可動部２のアーム７に揺動可能に保持されるので、図２に示すように、この操作片３８に指を引っ掛けて後ホルダー３５を回転させることで、フィルターパイプ２０の基端側開口部から後ホルダー３５を容易に外すことができる。なお、この操作片３８と対応して、下方に延出して取付片３９が形成されており、この取付片３９が後述するように可動部２のアーム７に取り付けられる。
【００２４】
チューブ取付管３６の基端部には、チューブ４０が装着され、そのチューブ４０は、グリップ１を介して、グリップ１基端側から延出し、真空ポンプを備えるステーション部４１に接続される。従って、真空ポンプを駆動すると、その吸引力はチューブ４０を介して、後ホルダー３５、フィルターパイプ２０、吸取パイプ１５及び吸取ノズル１６に作用して、吸取ノズル１６先端から溶融半田を吸い取ることができる。なお、吸引の有無は、グリップ１の先端側の外周面に形成された操作スイッチ４２にて切替え可能である。
【００２５】
本実施例の操作スイッチ４２は、押しボタンタイプとされており、グリップ１の先端側の周側面上部に設けられている。また、ボタンを押し下げるとリミットスイッチ４２ａを操作して、押しボタンを押し下げている間だけ、真空ポンプを駆動して吸引動作をするよう構成されている。
【００２６】
ところで、後ホルダー３５は、その取付片３９の下端部が、可動部２から径方向外側に延出したアーム７に取り付けられている。本実施例では、アーム７は、可動部２の外周面から上方に延出しており、その上端部において取付軸９を介して後ホルダー３５の取付片３９が揺動可能に保持される。取付部分には、コイルバネ８が設けられており、後ホルダー３５がフィルターパイプ２０の基端側開口部を閉じる方向に付勢している。
【００２７】
なお、吸取パイプ１５は、加熱部１０とフィルターパイプ２０との間の露出部の一部１５ｂにおいて、その外径が小径に形成されている。これは、吸取ノズル１６側への伝熱よりもフィルターパイプ２０側への伝熱を抑制するためであり、肉薄に形成することでそれを実現している。
吸取ノズル１６側では、約４００〜５００℃を維持する一方、フィルターパイプ２０側の温度は、約３００℃前後になるように小径部（１５ｂ）を設定する。３００℃以上では、キャップ２１が焼けてしまうおそれがあり、逆にあまり低い温度では、吸取パイプ１５内で半田が凝固してしまうおそれがあるからである。
【００２８】
なお、吸取パイプ１５の基端部に形成されたツバ部１５ａの上面に座金状の断熱材を介して、キャップ２１に吸取パイプ１５を嵌合するようにしても構わない。これにより、さらにフィルターパイプ２０側への伝熱を抑制することが可能となる
【００２９】
次に、本発明の半田吸取器の使用方法について説明する。
本発明の半田吸取器を用いた半田吸い取り作業は、図１及び図４に示すように、ヒーター１１の電源コード１２の末端１２ａを電源に接続すると共に、チューブ４０の末端４０ａを真空発生器へ接続する。そして、吸取ノズル１６を所定温度まで加熱した状態で、これを吸い取る箇所の半田５０に押し当てる。そして、この半田５０が溶融された時点で、グリップ１の操作スイッチ４２を押し、真空ポンプを駆動する。すると、溶融された半田５０を、真空ポンプに続く吸取経路Ａを介して装置内部側へ吸い込み、半田除去フィルター３０内に貯留する。
【００３０】
すなわち、真空ポンプが作動すると、吸取経路Ａが負圧状態となって、吸引力が発生し、これにより、半田除去フィルター３０の第１フィルター３１は、軸方向へ弾性的にわずかに伸長して、その各巻線間隔が密着状態から離間状態となる。これにより第１フィルター３１の各巻線間には微小な隙間が形成されて、吸取ノズル１６から真空ポンプに至る吸取経路Ａが完全に連通され、この結果、吸取ノズル１６の貫通穴１７から、第１フィルター３１の各巻線間の隙間を介して真空ポンプへ至る吸気の流れが形成され、この流れにのって溶融半田が吸引されることとなる。
【００３１】
この際、上記吸気の流れは、第１フィルター３１の軸線方向からその各巻線間の隙間方向へ曲がり、溶融半田と共に吸引された空気やフラックス等もこの吸気の流れに沿って環状空間（各巻線間）へ進み、第２フィルター３２に吸着される。
【００３２】
一方、溶融半田は、その自重による慣性により、上記第１フィルター３１の軸線にそってそのまま直進して、基端側に衝突し、そのほとんどがこの部位に付着固化して堆積される。
【００３３】
第１フィルター３１内の半田の貯留量が経時的に増加して、半田吸取器の吸引力が低下すると、フィルターパイプ２０を半田吸取器から取り外す。半田吸取器からフィルターパイプ２０を取り外すには、操作片３８を押下げて、吸取パイプ１５からフィルターパイプ２０を引き抜けばよい。そして、すぐに作業を続ける必要がある場合には、別のフィルターパイプを取り付ければよい。
【００３４】
フィルターパイプ２０を再使用するためには、取り外されたフィルターパイプ２０から、第２フィルター３２、第１フィルター３１を順次取り外す。第１フィルター３１は、キャップ２１に差込んであるだけなので、その交換作業は、容易かつ迅速である。また、第２フィルター３２も、第１フィルター３１に同期して適宜交換される。
第１フィルター３１は、堆積した半田を除去して、再使用してもよいし、新しい第１フィルターをフィルターパイプ２０に取り付けてもよい。また、フィルターパイプ２０に第１フィルター３１と第２フィルター３２をセットしたカートリッジごと交換してもよい。
【００３５】
本実施例の半田吸取器は、グリップ１先端部に設けられた可動部２により、吸取ノズル１６及びフィルターパイプ２０等が周方向に一定角度で回転可能に保持されている。よって、吸取作業において、作業のしやすい角度に調整可能である。
また、操作片３８は、グリップ１を把持した手の指、たとえば親指で操作可能であるので、容易に、フィルターパイプ２０の交換することができる。
【００３６】
なお、本発明の半田吸取器は、上記実施例の構成に限らず、適宜変更可能である。例えば、フィルターパイプに内蔵されるフィルターの形状、個数は適宜変更可能である。
【００３７】
【発明の効果】
以上詳述したように、本発明の半田吸取器によれば、簡易な構造で、フィルターの取付け・取外し・清掃・交換を容易に行なうことができる。
【図面の簡単な説明】
【図１】本発明の半田吸取器の使用状態を示す図であり、一部を断面にして示している。
【図２】図１の半田吸取器からフィルターパイプを取り外す状態を示す断面図である。
【図３】図１の半田吸取器を右側から見た図である。
【図４】図１の半田吸取器の概略斜視図である。
【符号の説明】
１　グリップ
２　可動部
２ａ　スリット
３　ネジ
４　突部
５　取付部材
５ａ　フランジ
５ｂ　ボス部
６　ネジ
７　アーム
８　コイルバネ
９　取付軸
１０　加熱部
１０ａ　傾斜面
１１　ヒーター
１２　コード
１５　吸取パイプ
１５ａ　ツバ部
１６　吸取ノズル
１７　貫通穴
１７ａ　小径部
１７ｂ　大径穴
２０　フィルターパイプ
２０ａ　突部
２１　キャップ
２１ａ　大径部
２１ｂ　装着部
２１ｃ　取付部
２１ｄ　小径部
２１ｅ　小径部
２１ｆ　大径部
３０　半田除去フィルター
３１　第１フィルター
３１ａ　開口部
３２　第２フィルター
３５　後ホルダー
３５ａ　円筒状
３６　チューブ取付管
３７　Ｏリング
３８　操作片
３９　取付片
４０　チューブ
４１　ステーション部
４２　操作スイッチ
５０　半田
【図１】
2004074225.tif 000003
【図２】
2004074225.tif 000004
【図３】
2004074225.tif 000005
【図４】
2004074225.tif 000006